(57)【要約】【課題】紫外線領域の光を発光する発光素子を用いても、表示部分全体を明るく照明できる。【解決手段】照明ケース１４内に紫外線領域の光を発光する発光素子１７を設け、この発光素子１７を覆って照明ケース１４内に透明な封止樹脂１８を充填し、この封止樹脂１８中に紫外線領域の光に反応して可視光線領域の光を発光する発光材１９を混入した。従って、発光素子１７で発光した紫外線領域の光が封止樹脂１８を透過する際、そのまま透過して外部に放出されるほか、封止樹脂１８中の発光材１９に照射されて発光材１９が可視光線領域の光を発光する。このため、紫外線領域の光と可視光線領域の光との両方の光を照明ケース１４から放出できる。これにより、紫外線領域の光と可視光線領域の光との両方の光で表示部分を照明できるので、紫外線領域の光を発光する発光素子１７のみを用いても、表示部分全体を明るく照明することができる。【選択図】　　　　図２
2004132772.tif 000002
【特許請求の範囲】
【請求項１】
少なくとも一面が開放された照明ケースと、
この照明ケース内に配置されて紫外線領域の光を発光する発光素子と、
この発光素子を覆って前記照明ケース内に充填された光透過性を有する封止樹脂と、
この封止樹脂中に混入され、紫外線領域の光に反応して可視光線領域の光を発光する発光材と
を備えたことを特徴とする照明装置。
【請求項２】
前記発光材は、紫外線領域の光に反応して発光する可視光線領域の光のうち、特定波長の光を発光する物質であることを特徴とする請求項１に記載の照明装置。
【請求項３】
前記発光材は、紫外線領域の光に反応して発光する可視光線領域の光のうち、波長の異なる光をそれぞれ発光する複数の物質からなることを特徴とする請求項１に記載の照明装置。
【請求項４】
請求項１に記載の照明装置を収納する機器ケースと、
この機器ケース内にその窓部に対応して設けられ、且つ前記照明装置から放出された光が照射される表示部材と、
この表示部材に設けられ、紫外線領域の光に反応して可視光線領域の光を発光する発光部と
を備えたことを特徴とする電子機器。
【請求項５】
前記発光部は、前記表示部材の複数個所に設けられ、それぞれ紫外線領域の光に反応して可視光線領域内の異なる波長の光を発光することを特徴とする請求項４に記載の電子機器。
【請求項６】
前記照明装置は、前記機器ケース内の複数個所に配置され、それぞれ可視光線領域内の異なる波長の光を紫外線領域の光と共に放出することを特徴とする請求項４に記載の電子機器。
【発明の詳細な説明】
【０００１】
【発明の属する技術分野】
この発明は、腕時計、携帯電話機、自動車の計器類などの各種の機器に適用して有用な照明装置およびそれを用いた電子機器に関する。
【０００２】
【従来の技術】
例えば、指針式の腕時計においては、腕時計ケース内に照明装置を設け、この照明装置によって指針や文字板などの表示部材を照明することにより、明るい所でも暗い所でも、時刻を知ることができるようにしたものがある。
【０００３】
このような指針式の腕時計としては、従来、腕時計ケース内に照明装置として紫外線発光素子を設けると共に、腕時計ケース内に設けられた指針および文字板などの表示部材に紫外線領域の光に反応して可視光線領域の光を発光する発光層を設け、紫外線発光素子で発光した人間の目に見えない紫外線領域の光を表示部材に照射すると、表示部材の発光層が紫外線領域の光に反応して人間の目に見える可視光線領域の光を発光することにより、暗い所でも時刻を知ることができるようにしたものがある（例えば、特許文献１参照。）。
【０００４】
【特許文献１】
特開平９−２６４９６９号公報
【０００５】
【発明が解決しようとする課題】
しかしながら、このような指針式の腕時計では、紫外線発光素子が人間の目に見えない紫外線領域の光を発光し、この紫外線領域の光が指針および文字板などの表示部材を照明するので、表示部材に設けられた発光層のみが紫外線領域の光に反応して人間の目に見える可視光線領域の光を発光するだけであり、このため時刻を知ることはできても、表示部分全体を明るく照明することができず、表示部分全体が暗いという不都合がある。
【０００６】
この発明の課題は、人間の目に見えない紫外線領域の光を発光する発光素子のみを用いても、表示部分全体を明るく照明できるようにすることである。
【０００７】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図９に示すように、少なくとも一面が開放された照明ケース（１４）と、この照明ケース内に配置されて紫外線領域の光を発光する発光素子（１７）と、この発光素子を覆って前記照明ケース内に充填された光透過性を有する封止樹脂（１８）と、この封止樹脂中に混入され、紫外線領域の光に反応して可視光線領域の光を発光する発光材（１９、２２）とを備えたことを特徴とする照明装置（１３、２１、２５〜２７）である。
【０００８】
この発明によれば、発光素子が発光して紫外線領域の光を発光すると、その紫外線領域の光が照明ケース内に充填された光透過性を有する封止樹脂を透過するときに、封止樹脂中をそのまま透過して照明ケースの外部に出射されるほか、封止樹脂中に混入された発光材に照射され、その発光材が紫外線領域の光に反応して可視光線領域の光を発光することにより、発光素子で発光した紫外線領域の光と発光材で発光した可視光線領域の光との両方の光を照明ケースの外部に放出することができ、これにより紫外線領域の光と可視光線領域の光との両方の光で表示部分を照明することができるので、発光素子として人間の目に見えない紫外線領域の光を発光する発光素子のみを用いても、従来例のものよりも表示部分全体を明るくすることができる。
【０００９】
請求項２に記載の発明は、図１〜図３に示すように、前記発光材（１９）が、紫外線領域の光に反応して発光する可視光線領域の光のうち、特定波長の光を発光する物質であることを特徴とする請求項１に記載の照明装置（１３）である。この発明によれば、発光材が可視光線領域のうちの特定波長の光、例えば赤波長、青波長、緑波長（または黄波長）などのいずれかの波長の光を単色光として発光するので、照明ケースから放出される単色光の色によって色彩効果を得ることができると共に、装飾効果をも得ることができる。
【００１０】
請求項３に記載の発明は、図４および図５に示すように、前記発光材（２２）が、紫外線領域の光に反応して発光する可視光線領域の光のうち、波長の異なる光をそれぞれ発光する複数の物質（２２ａ、２２ｂ）からなることを特徴とする請求項１に記載の照明装置（２１）である。
この発明によれば、発光材が異なる波長の光をそれぞれ発光する複数の物質からなるので、発光素子で発光した紫外線領域の光に発光材の各物質がそれぞれ反応して複数の異なる波長の光を発光すると共に、これら複数の異なる波長の光が混じり合って白色光に近づくことにより、明かる光を得ることができ、この可視光線領域の明るい光を紫外線領域の光と共に放出することができるので、請求項１または２に記載の発明のものよりも、表示部分を明るく照明することができる。
【００１１】
請求項４に記載の発明は、図１〜図９に示すように、請求項１に記載の照明装置（１３、２１、２５〜２７）を収納する機器ケース（腕時計ケース１、機器ケース４０）と、この機器ケース内にその窓部（時計ガラス２、保護ガラス４３）に対応して設けられ、且つ前記照明装置から放出された光が照射される表示部材（文字板９および指針１０、または液晶表示素子３１）と、この表示部材に設けられ、紫外線領域の光に反応して可視光線領域の光を発光する発光部（２０、３７）とを備えたことを特徴とする電子機器である。
この発明によれば、照明装置の発光素子で発光した紫外線領域の光と照明装置の発光材で発光した可視光線領域の光との両方の光を表示部材に照射することができ、これにより表示部材全体が可視光線領域の光で照明されると共に、表示部材の発光部が紫外線領域の光に反応して可視光線領域の光を発光するので、照明装置から放出された可視光線領域の光、および表示部材の発光部で発光された可視光線領域の光の両方によって、表示部材全体を、より一層、明るく照明することができる。
【００１２】
請求項５に記載の発明は、図１〜図６に示すように、前記発光部（２０）が、前記表示部材（文字板９および指針１０）の複数個所に設けられ、それぞれ紫外線領域の光に反応して可視光線領域内の異なる波長の光を発光することを特徴とする請求項４に記載の電子機器である。
この発明によれば、請求項４に記載の発明と同様、表示部材全体を明るく照明することができるほか、特に表示部材の複数個所に設けられた発光部がそれぞれ紫外線領域の光に反応して可視光線領域内の異なる波長の光を発光するので、光による色バリエーションが豊富になり、これにより色彩性および装飾性の高いものを得ることができる。
【００１３】
請求項６に記載の発明は、図６に示すように、前記照明装置（２５〜２７）が、前記機器ケース（腕時計ケース１）内の複数個所に配置され、それぞれ可視光線領域内の異なる波長の光を紫外線領域の光と共に放出することを特徴とする請求項４に記載の電子機器である。
この発明によれば、機器ケース内の複数個所に配置された照明装置が紫外線領域の光と共にそれぞれ可視光線領域内の異なる波長の光を発光するので、各照明装置を順番に発光させると、可視光線領域内の異なる波長の光によって表示部材を順番に照明することができ、これにより光による色彩が豊富になるため、色彩性および装飾性の高いものを得ることができ、また各照明装置を同時に発光させると、各照明装置からそれぞれ放出された可視光線領域内の異なる波長の光が混じり合って白色光に近い明るい光となるので、より一層、表示部材全体を明るく照明することができる。
【００１４】
【発明の実施の形態】
［第１実施形態］
以下、図１〜図３を参照して、この発明を指針式の腕時計に適用した第１実施形態について説明する。
図１はこの発明の指針式の腕時計を示した要部の正面図、図２は図１のＡ−Ａ矢視における要部の拡大断面図である。この指針式の腕時計は、腕時計ケース１を備えている。この腕時計ケース１の上部には、透明な時計ガラス２がパッキン３を介して装着されており、この腕時計ケース１の内部には、時計モジュール４が見切り部材５を介して収納されている。また、この腕時計ケース１の下面には、図示しないが、裏蓋が防水リングを介して取り付けられている。
【００１５】
時計モジュール４は、アナログ機能とデジタル機能のうち、少なくともアナログ機能を備えたものであり、図２に示すように、ハウジング６にアナログムーブメント７が設けられ、このアナログムーブメント７の指針軸８がハウジング６の上面に設けられた文字板９の貫通孔９ａを通してその上方に突出し、この突出した指針軸８の上端部に時針、分針、秒針などの指針１０が取り付けられ、これら指針１０が文字板９の上方を運針するように構成されている。この場合、文字板９の上面における周縁部には、時字１１が等間隔で１時〜１２時に対応して設けられており、この文字板９および指針１０によって表示部材が構成されている。また、ハウジング６内には、アナログムーブメント７を駆動するための電子回路を搭載した回路基板１２が設けられている。
【００１６】
一方、見切り部材５は、時計ガラス２が装着される腕時計ケース１の内周面に鍔状に突出して形成された装着凸部１ａと文字板９の周縁部上との間に枠状に配置されている。この見切り部材５の所定個所、例えば図１において１２時に対応する個所には、図２に示すように、照明装置１３を収納する収納凹部５ａが腕時計ケース１内に向けて開放された状態で設けられている。この照明装置１３は、図２および図３に示すように、見切り部材５の収納凹部５ａ内に配置される照明ケース１４を備えている。この照明ケース１４は、見切り部材５の内面側に位置する一面が開放されたほぼ筒状に形成されており、この照明ケース１４の内部には、照明基板１５が照明ケース１４の外部に突出した状態で設けられている。この場合、照明ケース１４から突出した照明基板１５は、図２に示すように、見切り部材５を通り抜けて時計モジュール４内に挿入され、この挿入された外端部が接続部材１６によって時計モジュール４内の回路基板１２と電気的に接続されている。
【００１７】
また、照明ケース１４内に位置する照明基板１５には、図３に示すように、ブラックライトと呼ばれる発光素子１７が設けられている。この発光素子１７は、波長が３６５〜３８５ｎｍ（ナノメートル：ナノは１０億分の１メートル）の人間の目に見えない紫外線領域の光を発光する紫外線発光ダイオード（ＬＥＤ）または紫外線灯などの発光素子で構成されている。この照明ケース１４の内部には、図３に示すように、透明または半透明の合成樹脂からなる光透過性を有する封止樹脂１８が発光素子１７を覆って充填されており、この封止樹脂１８中には、発光材１９が混入されている。この発光材１９は、紫外線領域の光に反応して人間の目に見える可視光線領域のうち、特定波長の単色光を発光する物質からなる。この物質としては、紫外線領域の光に反応して赤波長の光を発光する物質、紫外線領域の光に反応して青波長の光を発光する物質、および紫外線領域の光に反応して緑波長（または黄波長）の光を発光する物質などがあり、この実施形態では、赤色系（赤波長）の光を発光する物質を用いた構成になっている。
【００１８】
ところで、文字板９の各時字１１、および時針、分針、秒針の各指針１０には、それぞれ発光部２０が印刷や塗布によって設けられている。これら発光部２０は、波長が３５０〜４２０ｎｍの紫外線領域の光に反応して可視光線領域内の有色光を発光し、紫外線領域の光が照射されないときに透明な状態を呈するものであり、その発光色は、赤、青、緑（または黄色）の３色を基本として、１０〜１３種類ある。この場合、文字板９および各指針１０の各発光部２０は、全て同じ色で発光しても良いが、時刻を視認しやすくするために、異なる色（異なる波長）で発光することが望ましい。例えば、文字板９の時字１１と指針１０の分針の各発光部２０は緑色系（または黄色系）で発光するように構成され、指針１０の時針の発光部２０は青色系で発光するように構成され、指針１０の秒針の発光部２０は赤色系で発光するように構成されていることが望ましい。
【００１９】
このような指針式の腕時計によれば、紫外線領域の光がほとんど存在しない室内などの明るい所では、文字板９の各時字１１、および時針、分針、秒針の各指針１０に設けられた各発光部２０が透明な状態を呈するので、各発光部２０によって文字板９の各時字１１、および時針、分針、秒針の各指針１０が視認性の影響を受けることがなく、時計ガラス２を通して腕時計ケース１の外部から文字板９および各指針１０を見ることができる。このため、通常の腕時計と同様に時刻を知ることができる。
【００２０】
また、紫外線領域の光がほとんど存在しない室内などの暗い所では、照明装置１３の発光素子１７を発光させると、紫外線領域の光が発生し、この紫外線領域の光が照明ケース１４内の光透過性を有する封止樹脂１８中を透過するときに、封止樹脂１８をそのまま透過して照明ケース１４の外部に放出されるほか、特に封止樹脂１８中に混入された発光材１９に照射され、この照射された発光材１９が紫外線領域の光に反応して可視光線領域内の特定波長の単色光、例えば赤色系の光を発光する。このため、発光素子１７で発光した紫外線領域の光と発光材１９で発光した可視光線領域内の特定波長の単色光との両方の光が照明ケース１４の外部に放出されて表示部材である文字板９および指針１０に照射される。
【００２１】
このときには、文字板９および指針１０が、人間の目に見える可視光線領域内の特定波長の単色光つまり赤色系の光で照明されると共に、文字板９の各時字１１および各指針１０にそれぞれ設けられた各発光部２０が、紫外線領域の光に反応してそれぞれ可視光線領域の光で発光する。例えば、文字板９の時字１１と指針１０の分針の各発光部２０が緑色系（または黄色系）で発光し、指針１０の時針の発光部２０が青色系で発光し、指針１０の秒針の発光部２０が赤色系で発光する。このため、発光素子として人間の目に見えない紫外線領域の光を発光する発光素子１７のみを用いても、照明装置１３から放出された人間の目に見える可視光線領域の特定波長の単色光つまり赤色系の光と、文字板９の各時字１１および各指針１０にそれぞれ設けられた各発光部２０で発光した可視光線領域の光とによって、文字板９および指針１０の表示部分全体を明るく照明することができる。
【００２２】
これにより、時計ガラス２を通して腕時計ケース１の外部から文字板９および指針１０を鮮明に視認することができるので、暗い所でも良好に時刻を知ることができる。このときには、文字板９の各時字１１および各指針１０にそれぞれ設けられた各発光部２０が照明装置１３から放出された紫外線領域の光に反応してそれぞれ可視光線領域内の異なる波長の光を発光するので、例えば、文字板９の各時字１１および指針１０の分針の各発光部２０が緑色系（または黄色系）で発光し、指針１０の時針の発光部２０が青色系で発光し、指針１０の秒針の発光部２０が赤色系で発光することになり、このため各発光部２０で発光した光の色によって色彩が豊富になり、これにより色彩性の高いものを得ることができると共に、装飾性にも優れたものを得ることができる。
【００２３】
［第２実施形態］
次に、図４および図５を参照して、この発明を指針式の腕時計に適用した第２実施形態について説明する。なお、図１〜図３に示された第１実施形態と同一部分には同一符号を付して説明する。
この指針式の腕時計は、照明装置２１が紫外線領域の光と共に可視光線領内の複数の異なる波長の光を放出する構造で、これ以外は第１実施形態とほぼ同じ構造になっている。すなわち、この照明装置２１は、照明ケース１４内に発光素子１７を覆って封止樹脂１８が充填され、この封止樹脂１８中に混入された発光材２２が、紫外線領域の光に反応して発光する可視光線領域の光のうち、波長の異なる光をそれぞれ発光する複数の物質からなる構造になっている。
【００２４】
この場合、発光材２２は、紫外線領域の光に反応して赤波長の光を発光する物質、紫外線領域の光に反応して青波長の光を発光する物質、および紫外線領域の光に反応して緑波長（または黄波長）の光を発光する物質のうち、少なくとも２つ以上の物質を組み合わせた構成になっている。例えば、この第２実施形態では、発光材２２が、紫外線領域の光に反応して赤波長を発光する物質２２ａと、紫外線領域の光に反応して青波長を発光する物質２２ｂからなり、これらの物質２２ａ、２２ｂで発光した各波長の光が混じり合いながら照明ケース１４の外部に放出されるように構成されている。
【００２５】
このような指針式の腕時計によれば、第１実施形態と同様の作用効果があるほか、特に照明装置２１の発光材２２が異なる波長の光をそれぞれ発光する複数の物質２２ａ、２２ｂからなるので、発光素子１７で発光した紫外線領域の光に発光材２２の各物質２２ａ、２２ｂがそれぞれ反応して可視光線領域内の異なる波長の光を発光する。すなわち、発光材２２の各物質２２ａ、２２ｂのうち、例えば物質２２ａが赤波長の光を発光し、物質２２ｂが青波長の光を発光する。そして、これらの異なる波長の光が混じり合って白色光に近づくことになるので、明かる光を得ることができる。このため、人間の目に見える明るい光を紫外線領域の光と共に表示部材である文字板９および指針１０に照射することができる。このため、第１実施形態のものよりも、表示部分全体を明るく照明することができ、より一層、鮮明に時刻を知ることができる。
【００２６】
［第３実施形態］
次に、図６を参照して、この発明を指針式の腕時計に適用した第３実施形態について説明する。この場合にも、図１〜図３に示された第１実施形態と同一部分に同一符号を付して説明する。
この指針式の腕時計は、腕時計ケース１内の見切り部材５の複数個所に照明装置２５〜２７をそれぞれ設けた構造で、これ以外は第１実施形態とほぼ同じ構造になっている。
【００２７】
すなわち、見切り部材５には、照明装置２５〜２７をそれぞれ収納する収納凹部５ａが１２時、４時、８時の３か所にそれぞれ対応して設けられている。また、これら照明装置２５〜２７は、照明ケース１４内に発光素子１７が照明基板１５を介して設けられていると共に、この発光素子１７を覆って充填された封止樹脂１８中に可視光線領域内のそれぞれ異なる波長の光を発光する発光材１９を混入させ、これにより紫外線領域の光と共にそれぞれ異なる色の光を照明ケース１４の外部に放出するように構成されている。
【００２８】
例えば、１２時に位置する照明装置２５は、発光材１９が紫外線領域の光に反応して赤色系（赤波長）の光を発光するように構成され、４時に位置する照明装置２６は、発光材１９が紫外線領域の光に反応して青色系（青波長）の光を発光するように構成され、８時に位置する照明装置２７は、発光材１９が紫外線領域の光に反応して緑色系（緑波長）の光または黄色系（黄波長）を発光するように構成されている。また、この腕時計では、各照明装置２５〜２７が順番に点灯するように構成されている。
【００２９】
このような指針式の腕時計によれば、第１実施形態とほぼ同様の作用効果があるほか、特に各照明装置２５〜２７を順番に発光させることにより、異なる色（可視光線領域内の異なる波長）の光によって表示部材である文字板９および指針１０を順番に照明することができる。このため、各照明装置２５〜２７から放出される光の色が異なるので、光による色バリエーションが豊富で、第１実施形態よりも光による色彩が豊かになり、より一層、色彩性および装飾性の高いものを得ることができると共に、商品価値の高いものを得ることができる。
【００３０】
なお、上記第３実施形態では、各照明装置２５〜２７を順番に点灯するように構成したが、これに限らず、各照明装置２５〜２７を同時に点灯させても良い。この場合には、各照明装置２５〜２７のそれぞれから放出された可視光線領域内の異なる波長の光が混じり合って白色光に近い明るい光となるので、より一層、表示部材である文字板９および指針１０を明るく照明することができ、これにより鮮明に文字板９および指針１０を視認することができる。
【００３１】
［第４実施形態］
次に、図７を参照して、この発明をデジタル式の腕時計に適用した第４実施形態について説明する。この場合にも、図１〜図３に示された第１実施形態と同一部分に同一符号を付して説明する。
このデジタル式の腕時計は、腕時計ケース１内に見切り部材５を介して収納された時計モジュール３０がデジタル機能を備えた構造で、これ以外は第１実施形態とほぼ同じ構造になっている。すなわち、この時計モジュール３０は、文字板９および指針１０の表示部材に代えて、液晶表示素子３１をハウジング６上に設けた構造になっている。
【００３２】
この場合、液晶表示素子３１は、図７に示すように、上下一対の透明な電極基板３２、３３間に液晶（図示せず）を封入し、上側の電極基板３２の上面と下側の電極基板３３の下面とにそれぞれ偏光板３４、３５を設け、下側の偏光板３５の下面に反射板３６を設けた構造で、一対の電極基板３２、３３間に選択的に電圧を印加することにより、時刻などの情報を電気光学的に表示するように構成されている。この場合、液晶表示素子３１の上面つまり上側の偏光板３５の上面には、マークや図形、記号などを表現する発光部３７が液晶表示素子３１の表示領域を避けて設けられている。
【００３３】
この発光部３７は、第１実施形態の発光部２０と同様、紫外線領域の光に反応して可視光線領域の光を発光し、紫外線領域の光が照射されないときに透明な状態を呈するものであり、その発光色は、赤、青、緑（または黄色）の３色を基本として、１０〜１３種類ある。この場合、発光部３７は、全て同じ色の光で発光するように構成されていても良いが、装飾性を高めるために部分的に異なる色（異なる波長）の光で発光するように構成されていることが望ましい。
【００３４】
また、この腕時計においても、第１実施形態と同様、見切り部材５の所定個所には収納凹部５ａが設けられており、この収納凹部５ａ内には照明装置１３が収納されている。この照明装置１３は、第１実施形態と同様、照明ケース１４内に発光素子１７が照明基板１５を介して設けられていると共に、この発光素子１７を覆って封止樹脂１８が充填され、この封止樹脂１８中に紫外線領域の光に反応して可視光線領域の光を発光する発光材１９が混入され、これにより人間の目に見えない紫外線領域の光と人間の目に見える可視光線領域の光とを照明ケース１４の外部に放出するように構成されている。
【００３５】
このようなデジタル式の腕時計によれば、紫外線領域の光がほとんど存在しない室内などの明るい所では、液晶表示素子３１に設けられた発光部３７が透明な状態を呈するので、発光部３７によって液晶表示素子３１が視認性の影響を受けることがなく、時計ガラス２を通して腕時計ケース１の外部から液晶表示素子３１に表示された時刻などの情報を見ることができる。すなわち、時計ガラス２を通して腕時計ケース１内に入射した外部光は、透明な状態を呈する発光部３７を透過すると共に、液晶表示素子３１の上側の偏光板３４、上下の各電極基板３２、３３、および下側の偏光板３５を透過して反射板３６で反射され、この反射された光が上記と逆の光路を経て時計ガラス２を通して外部に放出されることにより、液晶表示素子３１に表示された情報を腕時計ケース１の外部から見ることができる。
【００３６】
また、紫外線領域の光がほとんど存在しない室内などの暗い所では、照明装置１３の発光素子１７を発光させると、第１実施形態と同様、紫外線領域の光が発生し、この紫外線領域の光が照明ケース１４内の光透過性を有する封止樹脂１８中を透過するときに、封止樹脂１８をそのまま透過して照明ケース１４の外部に放出されるほか、封止樹脂１８中に混入された発光材１９に照射され、この照射された発光材１９が紫外線領域の光に反応して可視光線領域の特定波長の単色光を発光する。このため、発光素子１７で発光した紫外線領域の光と発光材１９で発光した可視光線領域の特定波長の単色光との両方の光が液晶表示素子３１に照射される。
【００３７】
このときには、液晶表示素子３１が、人間の目に見える可視光線領域の光で照明されるので、上記と同様、液晶表示素子３１に表示された情報を見ることができると共に、液晶表示素子３１に設けられた発光部３７が、紫外線領域の光に反応して可視光線領域の光を発光するので、この発光部３７をも視認することができる。このため、第１実施形態と同様、発光素子として人間の目に見えない紫外線領域の光を発光する発光素子１７のみを用いても、照明装置１３から放出された可視光線領域の光と、液晶表示素子３１の発光部３７で発光した可視光線領域の光との両方の光によって、液晶表示素子３１の全体を明るく照明することができる。これにより、暗い所でも液晶表示素子３１に表示された情報を鮮明に視認することができると共に、発光部３７による発光色によって色彩が豊富になり、これにより色彩性および装飾性にも優れたものを得ることができる。
【００３８】
［第５実施形態］
次に、図８および図９を参照して、この発明を携帯電話機に適用した第５実施形態について説明する。この場合には、図７に示された第４実施形態と同一部分に同一符号を付して説明する。
この携帯電話機は、図８に示すように、合成樹脂製の機器ケース４０を備えている。この機器ケース４０は、上ケース４１と下ケース４２とを接合した構造になっている。この場合、上ケース４１の上面における上部側には開口部が設けられ、この開口部には窓部に相当する透明な保護ガラス４３がパッキン４３ａを介して装着されており、この上ケース４１の上面における下部側には、電話機能に必要な各種のキー釦４４が設けられている。また、この機器ケース４０の上端面には、アンテナ４５が出没可能に取り付けられている。
【００３９】
この機器ケース４０の内部には、図９に示すように、携帯電話機用のモジュール４６が見切り部材４７と共に中枠４８内に収納された状態で組み込まれている。この携帯電話機用のモジュール４６は、携帯電話機能に必要な各種の部品を備えたものであり、ハウジング４９に液晶表示素子３１が保護ガラス４３に対応して設けられていると共に、携帯電話機能に必要な電子回路を搭載した回路基板５０が設けられた構成になっている。また、見切り部材４７は、保護ガラス４３を囲むように、モジュール４６の上部外周と上ケース４１の内面との間に配置されている。この見切り部材４７の所定個所には、第４実施形態と同様、収納凹部４７ａが設けられており、この収納凹部４７ａ内には照明装置１３が収納されている。
【００４０】
この照明装置１３は、第１実施形態と同様、照明ケース１４内に照明基板１５を介して発光素子１７が設けられていると共に、この発光素子１７を覆って充填された封止樹脂１８中に紫外線領域の光に反応して可視光線領域の光を発光する発光材１９が混入され、これにより紫外線領域の光と可視光線領域の光とを放出するように構成されている。また、モジュール４６の液晶表示素子３１の上面にも、第４実施形態と同様、マークや図形、記号などを表現する発光部３７が液晶表示素子３１の表示領域を避けて設けられている。この発光部３７も、第４実施形態と同様、紫外線領域の光に反応して可視光線領域の光を発光し、紫外線領域の光が照射されないときに透明な状態を呈するものであり、全て同じ色の光で発光するように構成されていても良いが、装飾性を高めるために部分的に異なる色（異なる波長）の光で発光するように構成されていることが望ましい。
【００４１】
このような携帯電話機によれば、紫外線領域の光がほとんど存在しない室内などの明るい所では、液晶表示素子３１に設けられた発光部３７が透明な状態を呈するので、第４実施形態と同様、発光部３７によって液晶表示素子３１が視認性の影響を受けることがなく、保護ガラス４３を通して機器ケース４０の外部から液晶表示素子３１に表示された情報を見ることができる。すなわち、保護ガラス４３を通して機器ケース４０内に入射した外部光は、透明な状態を呈する発光部３７を透過すると共に、液晶表示素子３１の上側の偏光板３４、上下の各電極基板３２、３３、および下側の偏光板３５を透過して反射板３６で反射され、この反射された光が上記と逆の光路を経て保護ガラス４３を通して外部に放出されることにより、液晶表示素子３１に表示された情報を機器ケース４０の外部から見ることができる。
【００４２】
また、紫外線領域の光がほとんど存在しない室内などの暗い所では、照明装置１３の発光素子１７を発光させると、第１実施形態と同様、紫外線領域の光が発生し、この紫外線領域の光が照明ケース１４内の光透過性を有する封止樹脂１８中を透過するときに、封止樹脂１８をそのまま透過して照明ケース１４の外部に放出されるほか、封止樹脂１８中に混入された発光材１９に照射され、この照射された発光材１９が紫外線領域の光に反応して可視光線領域の特定波長の単色光を発光するので、発光素子１７で発光した紫外線領域の光と発光材１９で発光した可視光線領域の特定波長の単色光との両方の光が液晶表示素子３１に照射される。
【００４３】
このときには、液晶表示素子３１が、人間の目に見える可視光線領域の光で照明されるので、上記と同様、液晶表示素子３１に表示された情報を見ることができると共に、液晶表示素子３１に設けられた発光部３７が、紫外線領域の光に反応して可視光線領域の光を発光するので、この発光部３７をも視認することができる。このため、第４実施形態と同様、発光素子として人間の目に見えない紫外線領域の光を発光する発光素子１７のみを用いても、照明装置１３から放出された可視光線領域の光と、液晶表示素子３１の発光部３７で発光した可視光線領域の光との両方の光によって、表示部分全体を明るく照明することができる。これにより、暗い所でも液晶表示素子３１に表示された情報を鮮明に視認することができると共に、発光部３７による発光色によって色彩が豊富になり、これにより色彩性および装飾性にも優れたものを得ることができる。
【００４４】
なお、上記第４、第５実施形態では、液晶表示素子３１の上面に発光部３７を設けたが、これに限らず、反射板３６の上面に発光部３７を設けても良く、またその両方に発光部３７を設けても良い。この場合、特に発光部３７を反射板３６の上面全域に設ければ、発光部３７が照明装置１３からの紫外線領域の光に反応して可視光線領域の光を発光することにより、バックライトとして使用することができる。
また、上記第４、第５実施形態では、反射板３６を備えた反射型の液晶表示素子３１を用いた場合について述べたが、これに限らず、バックライト装置を備えた透過型の液晶表示素子を用いても良く、またバックライト装置およびハーフミラーを用いた半透過反射型の液晶表示素子を用いても良い。
【００４５】
また、上記第４、第５実施形態では、照明装置１３の発光材１９が紫外線領域の光に反応して可視光線領域の特定波長の光つまり単色光を発光するように構成された場合について述べたが、これに限らず、例えば第２実施形態と同様、発光材として、紫外線領域の光に反応して赤波長の光を発光する物質、青波長の光を発光する物質、および緑波長（または黄波長）の光を発光する物質のうち、少なくとも２つ以上の物質を組み合わせた発光材２２を用いた構成であっても良い。このように構成すれば、第２実施形態と同様、白色光に近い明るい光を得ることができるので、より一層、液晶表示素子３１の全体を明るく照明することができる。
【００４６】
さらに、上記第４、第５実施形態では、見切り部材５または４７に１つの照明装置１３を設けた場合について述べたが、これに限らず、例えば第３実施形態と同様、見切り部材５または４７の複数個所に照明装置２５〜２７をそれぞれ配置し、これら複数の照明装置２５〜２７がそれぞれ可視光線領域内の異なる波長の光を紫外線領域の光と共に放出するように構成しても良い。このように構成すれば、第３実施形態と同様、複数の照明装置２５〜２７が紫外線領域の光と共にそれぞれ可視光線領域内の異なる波長の光を発光するので、各照明装置２５〜２７を順番に発光させると、可視光線領域内の異なる波長の光によって液晶表示素子３１を順番に照明することができ、このため光による色彩が豊富になるのため、色彩性および装飾性の高いものを得ることができる。また、複数の照明装置２５〜２７を同時に発光させると、各照明装置２５〜２７のそれぞれから放出された可視光線領域内の異なる波長の光が混じり合って白色光に近い明るい光となるので、より一層、液晶表示素子３１全体を明るく照明することができる。
【００４７】
なおまた、上記第１〜第５実施形態およびその変形例では、腕時計または携帯電話機に適用した場合について述べたが、これに限らず、例えば電子手帳、電子辞書、携帯端末機、パーソナルコンピュータ、印刷機などの各種の電子機器、または自動車の計器類などの各種機器、あるいはそれらの各部品に広く適用することができる。
【００４８】
【発明の効果】
以上説明したように、この発明の照明装置によれば、少なくとも一面が開放された照明ケース内に紫外線領域の光を発光する発光素子を設け、この発光素子を覆って照明ケース内に光透過性を有する封止樹脂を充填し、この封止樹脂中に紫外線領域の光に反応して可視光線領域の光を発光する発光材を混入したので、発光素子を発光させて紫外線領域の光を発生させると、その紫外線領域の光が照明ケース内の封止樹脂を透過する際、封止樹脂中をそのまま透過して照明ケースの外部に出射されるほか、封止樹脂中に混入された発光材に照射され、この照射された発光材が紫外線領域の光に反応して可視光線領域の光を発光することにより、発光素子で発光した紫外線領域の光と発光材で発光した可視光線領域の光との両方の光を照明ケースの外部に放出して表示部分を照明することができ、これにより紫外線領域の光を発光する発光素子のみを用いても、表示部分全体を明るく照明することができる。
【００４９】
この場合、発光材が紫外線領域の光に反応して発光する可視光線領域の光のうち、特定波長の光を発光する物質であることにより、発光材が可視光線領域のうちの特定波長の光、例えば赤波長、青波長、緑波長（または黄波長）などのいずれかの波長の光を単色光として発光するので、照明ケースから放出される単色光の色によって色彩効果を得ることができると共に、装飾効果をも得ることができる。
また、発光材が紫外線領域の光に反応して発光する可視光線領域の光のうち、波長の異なる光をそれぞれ発光する複数の物質からなることにより、発光素子で発光した紫外線領域の光に発光材の各物質がそれぞれ反応して複数の異なる波長の光を発光すると共に、これら複数の異なる波長の光が混じり合って白色光に近づくことにより、明かる光を得ることができ、この可視光線領域内の明るい光を紫外線領域の光と共に放出するので、より一層、表示部分を明るく照明することができる。
【００５０】
また、この発明の電子機器によれば、照明装置を収納する機器ケース内に、照明装置から放出された光が照射される表示部材を窓部に対応させて設け、この表示部材に、紫外線領域の光に反応して可視光線領域の光を発光する発光部を設けたことにより、照明装置の発光素子で発光した紫外線領域の光と照明装置の発光材で発光した可視光線領域の光との両方の光を表示部材に照射することができ、これにより表示部材全体が可視光線領域の光で照明されると共に、表示部材の発光部が紫外線領域の光に反応して可視光線領域の光を発光するので、照明装置から放出された可視光線領域の光、および表示部材の発光部で発光された可視光線領域の光の両方によって、表示部材全体を、より一層、明るく照明することができる。
【００５１】
この場合、発光部が表示部材の複数個所に設けられ、且つそれぞれ紫外線領域の光に反応して可視光線領域内の異なる波長の光を発光する構成であることにより、表示部材全体を明るく照明することができるほか、特に表示部材の複数個所に設けられた発光部がそれぞれ紫外線領域の光に反応して可視光線領域内の異なる波長の光を発光するので、光による色バリエーションが豊富になり、これにより色彩性および装飾性の高いものを得ることができる。
【００５２】
また、照明装置が機器ケース内の複数個所に配置され、且つそれぞれ可視光線領域内の異なる波長の光を紫外線領域の光と共に発光する構成であることにより、機器ケース内の複数個所に配置された照明装置が紫外線領域の光と共にそれぞれ可視光線領域内の異なる波長の光を発光するので、各照明装置を順番に発光させると、可視光線領域内の異なる波長の光によって表示部材を順番に照明することができ、これにより光による色彩が豊富になるため、色彩性および装飾性の高いものを得ることができ、また各照明装置を同時に発光させると、各照明装置からそれぞれ放出された可視光線領域内の異なる波長の光が混じり合って白色光に近い明るい光となるので、より一層、表示部材全体を明るく照明することができる。
【図面の簡単な説明】
【図１】この発明を指針式の腕時計に適用した第１実施形態における要部の正面図。
【図２】図１のＡ−Ａ矢視における要部の拡大断面図。
【図３】図２の照明装置を拡大した断面図。
【図４】この発明を指針式の腕時計に適用した第２実施形態における要部の拡大断面図。
【図５】図４の照明装置を拡大した断面図。
【図６】この発明を指針式の腕時計に適用した第３実施形態における拡大平面図。
【図７】この発明をデジタル式の腕時計に適用した第４実施形態における要部の拡大断面図。
【図８】この発明を携帯電話機に適用した第５実施形態の外観斜視図。
【図９】図８のＢ−Ｂ矢視における拡大断面図。
【符号の説明】
１　腕時計ケース
２　時計ガラス
４、３０　時計モジュール
５、４７　見切り部材
９　文字板
１０　指針
１３、２１、２５〜２７　照明装置
１４　照明ケース
１７　発光素子
１８　封止樹脂
１９、２２　発光材
２０、３７　発光部
３１　液晶表示素子
４０機器ケース
４３　保護ガラス
４６　モジュール
【図１】
2004132772.tif 000003
【図２】
2004132772.tif 000004
【図３】
2004132772.tif 000005
【図４】
2004132772.tif 000006
【図５】
2004132772.tif 000007
【図６】
2004132772.tif 000008
【図７】
2004132772.tif 000009
【図８】
2004132772.tif 000010
【図９】
2004132772.tif 000011